(57)【要約】【課題】  眼底周辺部の撮影に際しても安定したフォーカス調整を容易に行うことができる眼底カメラを提供すること。【解決手段】  被検眼眼底を撮影するために光軸方向に移動可能なフォーカスレンズを含む撮影光学系と、眼底にフォーカス指標を投影する投影光学系と、眼底に投影されたフォーカス指標を検出するフォーカス検出手段と、該検出手段の検出結果に基づいて前記フォーカスレンズを駆動するオートフォーカス手段と、被検眼の視線を誘導する固視標の呈示位置を変更可能な固視標呈示手段であって、眼底後極部付近を中心として撮影する基準位置と眼底周辺部を撮影する周辺位置とに固視標の呈示位置を変更可能な固視標呈示手段と、固視標の呈示位置が周辺位置に設定されていても、前記オートフォーカスの作動時には固視標呈示を基準位置に位置させるように前記固視標呈示手段を駆動制御する固視標制御手段と、を備える。【選択図】      図２
2005095450.tif 000002
【特許請求の範囲】
【請求項１】
被検眼眼底を撮影するために光軸方向に移動可能なフォーカスレンズを含む撮影光学系と、眼底にフォーカス指標を投影する投影光学系と、眼底に投影されたフォーカス指標を検出するフォーカス検出手段と、該検出手段の検出結果に基づいて前記フォーカスレンズを駆動するオートフォーカス手段と、被検眼の視線を誘導する固視標の呈示位置を変更可能な固視標呈示手段であって、眼底後極部付近を中心として撮影する基準位置と眼底周辺部を撮影する周辺位置とに固視標の呈示位置を変更可能な固視標呈示手段と、固視標の呈示位置が周辺位置に設定されていても、前記オートフォーカスの作動時には固視標呈示を基準位置に位置させるように前記固視標呈示手段を駆動制御する固視標制御手段と、を備えることを特徴とする眼底カメラ。
【請求項２】
請求項１の眼底カメラにおいて、前記オートフォーカス手段によりフォーカスが完了した後はオートフォーカスの許可信号があるまでオートフォーカスの作動を停止するオートフォーカス停止手段を設けたことを特徴とする眼底カメラ。
【請求項３】
請求項２の眼底カメラにおいて、前記オートフォーカス停止手段によるオートフォーカスの停止中に、前記フォーカスレンズの駆動を手段操作で可能にする手動フォーカス手段を設けたことを特徴とする眼底カメラ。
【請求項４】
請求項１の眼底カメラは、さらに、被検眼に対する前記撮影光学系のアライメント状態を検出するアライメント検出手段と、該検出結果に基づいてアライメント状態が第１の許容範囲となるように前記撮影光学系を駆動するオートアライメント手段と、前記オートフォーカス手段によりフォーカスが完了した後は、前記第1許容範囲より広く設定された第２の許容範囲から外れるまで、前記オートアライメント手段の作動を停止する制御手段と、前記撮影光学系のアライメント状態を手動で調整可能な手動調整手段と、を備えることを特徴とする眼底カメラ。
【発明の詳細な説明】
【技術分野】
【０００１】
本発明は、眼底を撮影する眼底カメラに関する。
【背景技術】
【０００２】
眼底カメラにおいては、良好な眼底像を撮影するために、撮影前に眼底カメラと被検眼との位置関係を適切に合わせるアライメント調整と、眼底へのフォーカス調整を行う。眼底カメラのフォーカス調整としては、眼底に投影したスプリット線等の指標を利用してフォーカスレンズを移動するフォーカス機構が知られている（例えば、特許文献１参照。）。
【０００３】
また、眼底を広範囲に撮影するために、被検眼の視線を誘導する内部固視標（固視灯）を移動可能に構成して周辺部の撮影をするものがある（例えば、特許文献２参照。）。
【特許文献１】特開２０００−５１３１号公報
【特許文献２】特開２００２−６５６１０号公報
【発明の開示】
【発明が解決しようとする課題】
【０００４】
しかしながら、固視灯が周辺部撮影用に設定されている場合においては、撮影光軸と被検眼の視軸が大きくずれるため、フォーカス調整用の指標が欠けたり、ボケたりして不鮮明になりやすく、安定したフォーカス調整が行えない問題があった。
【０００５】
本発明は、上記従来技術に鑑み、眼底周辺部の撮影に際しても安定したフォーカス調整を容易に行うことができる眼底カメラを提供することを技術課題とする。
【課題を解決するための手段】
【０００６】
上記問題点を解決するために、本発明は以下のような構成を備えることを特徴とする。
【０００７】
（１）  被検眼眼底を撮影するために光軸方向に移動可能なフォーカスレンズを含む撮影光学系と、眼底にフォーカス指標を投影する投影光学系と、眼底に投影されたフォーカス指標を検出するフォーカス検出手段と、該検出手段の検出結果に基づいて前記フォーカスレンズを駆動するオートフォーカス手段と、被検眼の視線を誘導する固視標の呈示位置を変更可能な固視標呈示手段であって、眼底後極部付近を中心として撮影する基準位置と眼底周辺部を撮影する周辺位置とに固視標の呈示位置を変更可能な固視標呈示手段と、固視標の呈示位置が周辺位置に設定されていても、前記オートフォーカスの作動時には固視標呈示を基準位置に位置させるように前記固視標呈示手段を駆動制御する固視標制御手段と、を備えることを特徴とする。
【０００８】
（２）  （１）の眼底カメラにおいて、前記オートフォーカス手段によりフォーカスが完了した後はオートフォーカスの許可信号があるまでオートフォーカスの作動を停止するオートフォーカス停止手段を設けたことを特徴とする。
【０００９】
（３）  （２）の眼底カメラにおいて、前記オートフォーカス停止手段によるオートフォーカスの停止中に、前記フォーカスレンズの駆動を手段操作で可能にする手動フォーカス手段を設けたことを特徴とする。
【００１０】
（４）  （１）の眼底カメラは、さらに、被検眼に対する前記撮影光学系のアライメント状態を検出するアライメント検出手段と、該検出結果に基づいてアライメント状態が第１の許容範囲となるように前記撮影光学系を駆動するオートアライメント手段と、前記オートフォーカス手段によりフォーカスが完了した後は、前記第1許容範囲より広く設定された第２の許容範囲から外れるまで、前記オートアライメント手段の作動を停止する制御手段と、前記撮影光学系のアライメント状態を手動で調整可能な手動調整手段と、を備えることを特徴とする。
【発明の効果】
【００１１】
本発明によれば、眼底周辺部の撮影に際しても安定したフォーカス調整を容易に行うことができる。
【発明を実施するための最良の形態】
【００１２】
以下、本発明の実施の形態を図面に基づいて説明する。図１は本発明に係る眼底カメラの構成図である。
【００１３】
眼底カメラは、基台１と、基台１に対してジョイスティック４の移動操作により左右方向（Ｘ方向）及び前後方向（Ｚ方向）に移動可能な移動台２と、移動台２に対して左右・上下・前後方向（Ｚ方向）にそれぞれ三次元移動可能に設けられた撮影部３と、被検者の顔を支持するために基台１に固設された顔支持ユニット５を備える。６は撮影部３を上下方向に移動するＹ駆動部であり、７は撮影部３を左右前後に移動するＸＺ駆動部である。ＸＺ駆動部７は、Ｙテーブルの上にＺ方向に移動可能なＺテーブルを配置し、Ｚテーブルの上にＸ方向に移動可能なＸテーブルを配置し、Ｘテーブルの上に撮影部３を配置し、Ｚテーブル及びＸテーブルをそれぞれモータ駆動することにより撮影部３をＸＺ方向に移動する。Ｙ駆動部６はＹテーブルをモータにより上下駆動することにより、撮影部３をＹ方向に移動する。この種の三次元駆動機構は周知の機構とすることができる。なお、撮影部３はジョイスティック４の回転操作によりＹ駆動部６が作動し、上下移動される。撮影部３の検者側には観察像や撮影像を表示するモニタ８が設けられている。
【００１４】
図２は、撮影部３に収納される光学系及び制御系の概略構成図である。光学系は、照明光学系１０、眼底観察・撮影光学系３０、フォーカス指標投影光学系４０、アライメント指標投影光学系５０、前眼部観察光学系６０、固視標呈示光学系７０から大別構成されている。
【００１５】
＜照明光学系＞  照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１６】
＜眼底観察・撮影光学系＞  眼底観察・撮影光学系３０は、対物レンズ２５、孔あきミラー２２の開口近傍に位置する撮影絞り３１、光軸方向に移動可能なフォーカシングレンズ３２、結像レンズ３３、赤外光反射、可視光透過の特性を有するダイクロイックミラー３４を備え、撮影光学系と眼底観察光学系は対物レンズ２５と撮影絞り３１から結像レンズ３３までの光学系を共用する。撮影絞り３１は対物レンズ２５に関して被検眼Ｅの瞳孔と略共役な位置に配置されている。フォーカシングレンズ３２は、モータを備える移動機構３９により光軸方向に移動される。ダイクロイックミラー３４の透過方向には、可視域に感度を有する撮影用のカラーＣＣＤカメラ３５が配置されている。ダイクロイックミラー３４の反射方向の光路には、赤外光反射、可視光透過の特性を有するダイクロイックミラー３７、リレーレンズ３６、赤外域に感度を有する観察用ＣＣＤカメラ３８が配置されている。
【００１７】
また、対物レンズ２５と孔あきミラー２２の間には、光路分岐部材としての挿脱可能なダイクロイックミラー（波長選択性ミラー）２４が斜設されており、さらにダイクロイックミラー２４と孔あきミラーの２２の間には、ダイクロイックミラー２４による光軸ずれを補正するための平行板ガラス２３が挿脱可能に斜設されている。ダイクロイックミラー２４は、アライメント指標投影光学系５０及び前眼部照明光源５８の波長光（中心波長９４０ｎｍ）を反射し、観察用照明の波長光及びフォーカス指標投影光学系４０の光源波長（中心波長８８０ｎｍ）を含む波長９００ｎｍ以下を透過する特性を有する。平行板ガラス２３は、ダイクロイックミラー２４とほぼ同じ厚さで、かつほぼ同じ屈折率を有する。撮影時には、ダイクロイックミラー２４と平行板ガラス２３は挿脱機構７０により連動して跳ね上げられ、光路外に退避する。挿脱機構７０は、ソレノイドとカム等により構成することができる。
【００１８】
＜フォーカス指標投影光学系＞  フォーカス指標投影光学系４０は、赤外光源４１、スリット指標板４２、このスリット指標板４２に取り付けられた２つの偏角プリズム４３、照明光学系１０の光路に斜設されたハーフミラー４４を備える。光源４１、スリット指標板４２は、フォーカシングレンズ３２と連動して移動機構３９により光軸方向に移動される。
【００１９】
＜アライメント指標投影光学系＞  アライメント指標投影光学系５０は、対物レンズ２５の光軸を中心に上下方向に対象に配置された２つの赤外光源５２ａ，５２ｂと、対物レンズ２５の光軸を中心に左右方向に対称に配置された図示なき赤外光源とコリメーティングレンズからなる。赤外光源５２ａ，５２ｂは被検眼Ｅの角膜に有限遠の指標を投影し、左右方向に対称に配置された図示なき赤外光源は被検眼Ｅの角膜に無限遠の指標を投影する。また、赤外光源５２ａ，５２ｂ及び左右方向に対称に配置された図示なき赤外光源は、中心波長９４０ｎｍの赤外光を発する。
【００２０】
＜前眼部観察光学系＞  前眼部観察光学系６０は、ダイクロイックミラー２４の反射側に、フィールドレンズ６１、ミラー６２、絞り６３、リレーレンズ６４、赤外域の感度を持つＣＣＤカメラ６５を備える。また、ＣＣＤカメラ６５はアライメント指標検出用の撮像手段を兼ね、中心波長９４０ｎｍの赤外光を発する前眼部照明光源５８により照明された前眼部とアライメント指標が撮像される。
【００２１】
＜固視標呈示光学系＞  固視標呈示光学系７０は、赤色の光源７４、開口穴が形成された８個の遮光板７１を持つ遮光板７１、リレーレンズ７５を備え、ダイクロイックミラー３４を介してダイクロイックミラー３４から対物レンズ２５までの観察光学系３０の光路を共用する。８個の遮光板７１は、図３に示すように、それぞれ開口穴７１ａ〜７１ｈを備える。ディスク板７２はパルスモータ７３により回転駆動され、各遮光板７１が選択的に光源７４の前に配置されると、固視標は図４（ａ）に示す様に、開口穴７１ａ〜７１ｈに対応して、光軸Ｌ２に対し８個の位置８１Ｌ、８１Ｒ、８２〜８７に呈示される。ディスク板７２の初期回転位置は、遮光板７６と投受光部を備えた光学式センサ７７により検知されており、制御部８１はそれぞれ開口穴７１ａ〜７１ｈを光源７４の前に配置させるためにパルスモータ７３の回転角度を制御する。それぞれ開口穴７１ａ〜７１ｈを光源７４の前に配置させるためのパルス数は、予め制御部８１に記憶されている。
【００２２】
開口穴７１ｂに対応する固視標位置８１Ｒは、右眼の黄班、視神経乳頭をバランスよく含む眼底後極部付近を中心として撮影するときに使用するものであり、この固視標位置８１Ｒが右眼撮影時の基準位置とされる。一方、開口穴７１ａに対応する固視標位置８１Ｌは左眼の黄班、視神経乳頭をバランスよく含む眼底後極部付近を中心に撮影するときに使用するものであり、この固視標位置８１Ｌが左眼撮影時の基準位置とされる。そして、開口穴７１ｃ〜７１ｈに対応する固視標位置８２〜８７が周辺撮影用の位置とされる。図４（ｂ）は、右眼の撮影において固視標を位置８１Ｒ、位置８２〜８７にそれぞれ変えて撮影したときの眼底像の状態を説明する図であり、領域１１１Ｒ、１１２〜１１７がそれぞれ位置８１Ｒ、位置８２〜８７に対応する。
【００２３】
また、ダイクロイックミラー３７を挟んで観察光学系３０が持つリレーレンズ３６の反対方向には反射ミラー７８が設けられている。この反射ミラー７８はリレーレンズ３６を介してＣＣＤカメラ３８の撮像面と略共役な位置で、且つリレーレンズ７５を介して光軸Ｌ２上に配置される開口穴７１ａ〜７１ｈと共役な位置に設定されている。開口穴７１ａ〜７１ｈを通過した光源７４の光束はダイクロイックミラー３７でわずかに反射して反射ミラー７８に向かい、反射ミラー７８で反射して元の方向へ戻り、ダイクロイックミラー３７を透過した後にリレーレンズ３６によってＣＣＤカメラ３８の撮像面に結像される。これにより、モニタ８上には眼底像に固視標像が合成されて表示される。
【００２４】
＜制御系＞  ＣＣＤカメラ６５、３８、３５の出力は画像処理部８０に接続されている。画像処理部８０はＣＣＤカメラ６５に撮像された画像からアライメント指標を検出処理し、ＣＣＤカメラ３８に撮像された画像からフォーカス指標を検出処理する。また、画像処理部８０はモニタ８に接続され、その表示画像を制御する。制御部８１には画像処理部８０、Ｙ駆動部６、ＸＺ駆動部７、ジョイスティック４、移動機構３９、挿脱機構７０、パルスモータ７３、撮影スイッチ８３、各種のスイッチを持つスイッチ部８４、マニュアルフォーカス時に使用する回転スイッチ８５、各光源等が接続されている（図２においては、一部接続ラインは省略している）。
【００２５】
このような構成の装置において、その動作を説明する。ここでは、オートアライメント、オートフォーカスのモードをスイッチ部８４のモード切換えスイッチ８４ａにより選択し、右眼の眼底周辺部を撮影する場合を、図７の操作フローを示す図を用い説明する。撮影に際してはスイッチ８４ｂにより撮影眼を指定するが、基台１に対して移動台２を左右方向に移動することにより、マイクロスイッチ等で移動台２の左右の切換えを検知し、その信号により左右眼の切換えを検知する構成であっても良い。また、撮影に際しては、固視標位置をスイッチ８４ｃにより設定する。周辺撮影は、例えば、視神経乳頭を撮影するため、周辺領域１１５を選択するものとする。
【００２６】
オートフォーカスモード時に撮影眼の左右の切換え信号が入力されると、制御部８１はこの信号をトリガとしてオートフォーカスの作動を可能状態とする。ここで、オートフォーカスが作動可能な状態にされると、固視標が周辺撮影用に設定されていても、制御部８１は開口穴７１ｂを持つ遮蔽板７１を光源４１の前に配置し、固視標位置を右眼の標準位置とする。固視標の光束はリレーレンズ７５、ダイクロイックミラー３７、ダイクロイックミラー３４、結像レンズ３３、フォーカシングレンズ３２、孔あきミラー２２、平行板ガラス２３、ダイクロイックミラー２４、対物レンズ２５を通過して被検眼眼底に集光し、被検者は開口穴７１ｂからの光束を固視標として視認する。この固視標は、黄班、視神経乳頭をバランスよく含む後極部を中心とした標準位置に向けられており、ＣＣＤカメラ３８で撮像される領域は、後極部が中心に位置する図８（ｂ）の領域１１１Ｒとなる。
【００２７】
被検眼にはこの標準位置の固視標を固視させ、固視標検者は被検眼の前眼部を観察してアライメントを行う。アライメント時、ダイクロイックミラー２４と平行板ガラス２３は眼底観察・撮影光学系３０の光路に挿入されている。前眼部照明光源５８により照明された前眼部は、対物レンズ２５、ダイクロイックミラー２４及びフィールドレンズ６１からリレーレンズ６４の光学系を介してＣＣＤカメラ６５により受光される。また、アライメント用の光源５２ａ，５２ｂ等の点灯により、前眼部に投影されたアライメント指標がＣＣＤカメラ６５に受光される。ＣＣＤカメラ６５の出力は画像処理部８０に入力されており、図５に示すようにモニタ８にはＣＣＤカメラ６５に撮像された前眼部像Ｆが表示される。この図において、上下方向に位置する指標像Ｍａ，Ｍｂは光源５２ａ，５２ｂによる有限遠の指標像であり、左右方向に位置する指標像Ｍｃ，Ｍｄは左右方向に対称に配置された図示なき赤外光源による無限遠の指標像である。Ｐはアライメント合わせの中心を示すレチクルである。
【００２８】
検者は、前眼部像Ｆがモニタ８の中心に移動するように、ジョイスティック４の操作により移動台２を前後左右に移動し、また撮影部３を上下に移動する。そして、ＣＣＤカメラ６５で撮像された４つ指標像Ｍａ〜Ｍｄが画像処理部８０により検出されるようになると、ＸＺ駆動部７及びＹ駆動部６の駆動制御によるオートアライメントが作動するようになる。画像処理部８０は、指標像Ｍａ，Ｍｂの線分と指標像Ｍｃ，Ｍｄの線分の交点とにより角膜中心Ｍを検出し、図９に示すように、ＸＹ方向のアライメント基準Ｐに対する偏位Δｄを求める。画像処理部８０の出力を受けた制御部８１は、ＸＹ方向のアライメントの偏位Δｄがアライメント完了の所定の許容範囲Ａに入るように、ＸＺ駆動部７及びＹ駆動部６の駆動制御により撮影部３をＸＹ方向に移動調整する。また、Ｚ方向のアライメント状態は、指標像Ｍａ，Ｍｂの間隔と指標像Ｍｃ，Ｍｄの間隔とを比較することにより検出される。これは、無限遠光源と有限遠光源とにより角膜反射像を形成した場合、作動距離が変化しても無限遠の光源による角膜反射像の像高さは変化しないが、有限遠光源による像高さは作動距離の変化に伴って変化するという特性を利用するものである（この詳細は特開平６−４６９９９号公報参照）。制御部８１はＺ方向のアライメント状態の検出結果を基に、Ｚ方向の基準位置に対する偏位が所定のアライメント完了の許容範囲（図示を略す）に入るように、撮影部３をＺ方向に移動調整する。
【００２９】
観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、平行板ガラス２３、ダイクロイックミラー２４を透過し、対物レンズ２５により被検眼Ｅの瞳孔付近で一旦収束した後、拡散して被検眼眼底部を照明する。また、フォーカス指標投影光学系４０のスリット指標板４２の光束は、偏角プリズム４３を介してハーフミラー４４により反射された後、リレーレンズ２１、孔あきミラー２２、平行板ガラス２３、ダイクロイックミラー２４、対物レンズ２５を経て被検眼Ｅの眼底に投影される。眼底のフォーカスが合っていないとき、スリット指標板４２の指標像は分離され、フォーカスが合っているときに一致して投影される。
【００３０】
眼底からの反射光は、対物レンズ２５、ダイクロイックミラー２４、平行板ガラス２３、孔あきミラー２２の開口部、撮影絞り３１、フォーカシングレンズ３２、結像レンズ３３、ダイクロイックミラー３４、ダイクロイックミラー３７、リレーレンズ３６を介してＣＣＤカメラ３８に結像する。
【００３１】
図６は、ＣＣＤカメラ３８で撮像される眼底画像の例であり、眼底像Ｒの中心にフォーカス指標投影光学系４０によるフォーカス指標像Ｓ１，Ｓ２が投影されている。眼底にフォーカスが合っていないときはフォーカス指標像Ｓ１，Ｓ２は分離され、フォーカスが合っているときに一致して投影される。この眼底画像のフォーカス指標像Ｓ１，Ｓ２は、画像処理部８０により検出処理され、その分離情報が制御部８１に送られる。そして、制御部８０はフォーカス指標像Ｓ１，Ｓ２の分離情報を基に移動機構３９を駆動し、フォーカシングレンズ３２及びスリット指標板４２を光軸方向に移動することにより、眼底のフォーカス調整を自動的に行う。オートフォーカス作動時には、固視標位置が後極部付近を撮影時と同じように被検眼の視線が誘導されているため、フォーカス指標像Ｓ１，Ｓ２が欠けたり、ボケたりして不鮮明になることが排除され、安定したオートフォーカス調整が可能になる。
【００３２】
制御部８１は、ＸＹＺ方向のオートアライメントの完了と、オートフォーカスの完了が検出されると、モニタ８の画面をＣＣＤカメラ３８による眼底画像に切換える。また、制御部８１は、オートフォーカスを一旦完了させると、その後はオートフォーカスの作動を許可する許可信号が入力されるまで、オートフォーカスの作動を停止する。固視標の設定位置が周辺撮影用の位置８５に設定されている場合、オートフォーカスが完了すると、制御部８１はパルスモータ７３を駆動して開口穴７１ｆを持つ遮蔽板７１を光源４１の前に自動的に配置する（あるいは、オートフォーカス完了後に検者がスイッチ８４ｃにより固視標を位置８５に設定する）。これにより被検眼の視軸が図８（ａ）に示す様に固視標位置８５の方向に誘導され、眼底での観察像は図８（ｂ）に示す周辺領域１１５になる。眼位が傾いてフォーカス指標像Ｓ１，Ｓ２が欠けたり、ボケたりする場合もあるが、オートフォーカスが一旦完了した後は、オートフォーカスの作動が停止しているため、フォーカス指標像の検出不良によるオートフォーカスの誤動作が防止される。
【００３３】
また、制御部８１は、ＸＹＺ方向のオートアライメントの完了、及びオートフォーカスの完了が検出された後は、ＸＺ駆動部７及びＹ駆動部６の駆動制御により撮影部３を自動的に移動するオートアライメントの条件を変更する。すなわち、図９に示すように、ＸＹ方向のアライメント基準Ｓに対する偏位Δｄが、オートアライメント完了の許容範囲Ａより広く設定された第２の許容範囲Ｂを外れるまで、オートアライメントの作動を停止する。Ｚ方向についても同様に、アライメント完了の許容範囲より広く設定された第２の範囲からアライメント状態が外れるまではオートアライメントの作動を停止する。これは、検者が眼底像を見ながらアライメントの微調整を可能にするためである。
【００３４】
検者は、モニタ８に表示される周辺撮影用の眼底像を観察し、フレアの無い画像か観察できるようにジョイスティック４等をマニュアル操作してアライメントの微調整を行う。また、フォーカス方向についても、回転スイッチ８５によりフォーカシングレンズ３２を前後に移動することにより、マニュアル操作でフォーカスの微調整を行える。所望する部位が良好に観察できていれば、撮影スイッチ８３を押すことにより撮影が実行される。制御部８０は、挿脱機構７０を駆動することによりダイクロイックミラー２４及び平行板ガラス２３を光路から離脱させると共に、撮影光源１４を発光する。撮影光源１４の発光により、眼底は可視光により照明され、眼底からの反射光は対物レンズ２５、孔あきミラー２２の開口部、撮影絞り３１、フォーカシングレンズ３２、結像レンズ３３、ダイクロイックミラー３４を経てＣＣＤカメラ３５に結像する。モニタ８の表示は画像処理部８０によってＣＣＤカメラ３５で撮影されたカラーの眼底画像に切換えられる。この眼底画像を確認し、フォーカス合わせが不良の場合は、回転スイッチ８５によりマニュアル操作でフォーカスの微調整を行うことで、撮影のやり直しが可能である。
【００３５】
被検者の顔が大きく動いたりして、オートフォーカスのやり直しが必要な場合には、スイッチ８４ｄを押すことにより、オートフォーカス作動の許可信号が与えられ、オートフォーカスが作動可能状態とされる。また、被検者の切換わりを入力する被検者スイッチ８４ｅや被検眼の左右を切換えるスイッチ８４ｂの信号があったときも、オートフォーカス作動の許可信号が与えられる。
【００３６】
以上説明したように、眼底周辺部の観察、撮影であっても、周辺部の観察、撮影の前に、基準位置でのフォーカス合わせを行うため、眼底の焦点合わせがしやすい。
【００３７】
眼底周辺部の観察、撮影する例として、視神経乳頭の陥没、神経線維の視神経乳頭の表面での変化具合を観察して緑内障の早期発見を観察目的とする場合や、一度周辺部を観察、撮影した被検眼を再度診察して同じ領域を観察、撮影する場合に特に有効である。
【図面の簡単な説明】
【００３８】
【図１】眼底カメラの構成図である。
【図２】眼底カメラの光学系及び制御系の概略構成図である。
【図３】固視標の機構を説明する図である。
【図４】固視標の移動位置及びそれに対応した眼底撮影像を示した図である。。
【図５】前眼部観察用のＣＣＤカメラで撮像された前眼部像の例を示す図である。
【図６】眼底観察用のＣＣＤカメラで撮像された眼底画像の例である。
【図７】周辺部観察、撮影のフローを示す図である。
【図８】周辺部観察、撮影の場合の固視標の移動位置及びそれに対応した眼底撮影像を示した図である。
【図９】ＸＹ方向のアライメント許容範囲を示した図である。
【符号の説明】
【００３９】
４  ジョイスティック
６  Ｙ駆動部
７  ＸＺ駆動部
３０  眼底観察・撮影光学系
３２  フォーカシングレンズ
３８  観察用ＣＣＤカメラ
３９  移動機構
４０  フォーカス指標投影光学系
４１  赤外光源
４２  スリット指標板
４３  偏角プリズム
６０  前眼部観察光学系
７０  固視標呈示光学系
７１  遮光板
７２  ディスク板
７３  パルスモータ
７４  光源
８１  制御部
８４  スイッチ部
８４ｂ  スイッチ
８４ｅ  被検者スイッチ
８４ｄ  スイッチ
８５  回転スイッチ
【図１】
2005095450.tif 000003
【図２】
2005095450.tif 000004
【図３】
2005095450.tif 000005
【図４】
2005095450.tif 000006
【図５】
2005095450.tif 000007
【図６】
2005095450.tif 000008
【図７】
2005095450.tif 000009
【図８】
2005095450.tif 000010
【図９】
2005095450.tif 000011